(57)【要約】【課題】本発明は、本体の前面から排気するプロジェクタ装置に関するものであり、デザインの自由度を損なうことなく、排気風による投影影像に対する悪影響を回避することが可能なプロジェクタ装置を提供するものである。【解決手段】本発明は、請求項１に記載するように、本体ケースと、この本体ケースの前面から露出するように設けられた投影レンズと、この本体ケースの前面に設けられるフロントケースと、このフロントケースの上下方向に整列して複数設けられた横長排気用スリット開口とを有するプロジェクタ装置において、前記スリット内に配置され排気風を投影レンズ方向から遠ざける向きに偏向させる導風部と、排気風が通過する開口部とを有する黒色プレートを有することを特徴とするプロジェクタ装置である。【選択図】    図１
2005346019.tif 000002
【特許請求の範囲】
【請求項１】
本体ケースと、この本体ケースの前面から露出するように設けられた投影レンズと、この本体ケースの前面に設けられるフロントケースと、このフロントケースの上下方向に整列して複数設けられた横長排気用スリット開口とを有するプロジェクタ装置において、前記スリット内に配置され排気風を投影レンズ方向から遠ざける向きに偏向させる導風部と、排気風が通過する開口部とを有する黒色プレートを有することを特徴とするプロジェクタ装置。
【請求項２】
前記本体ケースの前面には排気ファンが設けられ、更に前記黒色プレートには、この排気ファンの周囲を覆うシールド部を有することを特徴とする請求項１項記載のプロジェクタ装置。
【請求項３】
前記本体ケースの前面には排気ファンと、前記黒色プレートとの間であって、排気風を遮らない部位に、スポンジ状の緩衝体を有することを特徴とする請求項２項記載のプロジェクタ装置。
【請求項４】
前記黒色プレートは、金属性の基板と、この基板上に設けられた黒色層とを有すること特徴とする請求項１項記載のプロジェクタ装置。
【発明の詳細な説明】
【技術分野】
【０００１】本発明は、プロジェクタ装置、特にデザイン性を重視したプロジェクタに関するものである。
【背景技術】
【０００２】通常、プロジェクタ装置は、高出力の光源を用いるため、冷却ファンを用い冷却しながら動作させる。
このため、冷却後の排気風を排出する必要があるが、この排気風は、操作者が位置することがない、プロジェクタの前面から排気することが望ましい。
しかしながら、この排気が、投影光の通過する領域に排気されると、投影画像のゆらぎを生じることとなる。
この問題を解決するためには、排気風を投影領域から遠ざける方向に排気することで解決しているものがある。【０００３】
【特許文献１】特開平１０−１８６５４６号
【特許文献２】特開平１０−９０７９４号
【特許文献３】特開２００２−２４４２１３号
【発明の開示】
【発明が解決しようとする課題】
【０００４】上記の特許文献１では、排気ファンを傾斜させて、排気風を投影領域から遠ざける方向に排気する技術が開示されている。
上記の特許文献２では、ケースの排気口のスリット形状を傾斜させて、排気風を投影領域から遠ざける方向に排気する技術が開示されている。上記の特許文献３では、従来の排気口の形状として、ケースの排気口として、縦方向スリットが複数設けられている技術が開示されている。
尚、この特許文献３では、排気口が移動可能に設けられている。
しかしながら、このような構造では、デザイン的に好ましくないとの意見が寄せられた。【０００５】例えば、引用文献１のようにファンを傾斜させて配置すると、デッドスペースが生じ、ケース本体は必要以上に大きくなって、プロジェクタ装置本体の収納効率が落ちてしまう。
また、特許文献２及び、３のように排気口を縦長に設けると、横長の本体に縦の短いスリットを多数形成するため、スマートさが失われる。
さらに、そのスリットの形状を、排気を斜め方向に偏向させるため、斜めに傾斜して配置すると、デザイン的な美しさが損なわれる。
また、図２に示した、樹脂材からなるフロントケース６の横長の排気スリット７に、排気風を偏向させる縦長のルーバー１０を短冊状に一体成型した、本願出願人の従来のプロジェクタ装置に対しては、格子状の開口は見栄えが良くないとの意見があった。【０００６】本発明では、このような問題を解決するために創作されたものであり、デザインの自由度を損なうことなく、排気熱による投影画像への悪影響を回避することが可能なプロジェクタ装置を提供するものである。
【課題を解決するための手段】
【０００７】上記課題を解決するため、本発明は、請求項１に記載するように、本体ケースと、この本体ケースの前面から露出するように設けられた投影レンズと、この本体ケースの前面に設けられるフロントケースと、このフロントケースの上下方向に整列して複数設けられた横長排気用スリット開口とを有するプロジェクタ装置において、前記スリット内に配置され排気風を投影レンズ方向から遠ざける向きに偏向させる導風部と、排気風が通過する開口部とを有する黒色プレートを有することを特徴とするプロジェクタ装置である。【０００８】また、請求項２に記載するように、前記本体ケースの前面には排気ファンが設けられ、更に前記黒色プレートには、この排気ファンの周囲を覆うシールド部を有することを特徴としている。
【発明の効果】
【０００９】本発明によれば、黒色のプレートを用いることにより、排気用のスリット開口から、本体の内部が不必要に視認されることを防止でき、また、プレート自体が黒色であり目立たないため、横長の排気口スリットのデザイン性を損なうことなく、このプレートに設けられた排気風の偏向用導風部によって、排気が投影領域に悪影響を与えることを防止することが可能となる。
【発明を実施するための最良の形態】
【００１０】以下、本発明を実施するための最良の形態について、図面を参照して詳細に説明する。
【実施例】
【００１１】以下、図に沿って本発明の一実施例を説明する。図１は本発明の一実施例を示す斜視図であり、本体ケースからフロントケースを外した構造を示している。
本体ケース１の内部には、図示しない光源や光学部品、電源基板、画像データの入出力や投影画像形成などを制御するメイン回路基板、更には冷却用のファンなどが収納されている。
２は投影レンズであり、本体ケース１の前面に、影像を拡大して投影するため、本体ケース１の前面から露出して設けられている。
３は排気用のファンであり、本体ケースの前面に、投影レンズから離間した位置に、２つ設けられている。
尚、図示しないが、このファン３の中央部や側面には、ファンの振動による騒音を防止するため、スポンジ状の緩衝材が接着されている。【００１２】４は、金属プレートに黒色の塗料が塗られた黒色プレートであり、排気ファン３からの排気風が通過する円形状の開口が設けられ、また、排気風を投影レンズ２から遠ざける方向に偏向するための導風部５が複数設けられている。
尚、排気ファンの前面の４隅には、固定用のねじ穴等が設けられており、これが視認されると、プロジェクタ装置のデザイン性が損なわれる。
このため、金属プレート４の円形の開口以外の部分は、排気ファン３の淵が視認されることを防止するシールド板として作用するように、排気風が通過する開口は、最小限の円形状に構成されている。【００１３】黒色プレート４は、厚さが０．２ｍｍと薄いステンレス金属材で形成しており、また、導風部５は、金属プレート４の本体に対して、４５度程度曲げられているが、基体として、ステンレス金属材を用いているため、強度が高く、破損することはく、また、排気風によって、導風部５が、変形するといったことはない。
更に、黒色プレート４として、金属性のプレートを用いることにより、製造が容易となり、かつプロジェクタ装置としての組立て工程も容易となる。【００１４】６はフロントケースであり、排気用の横長のスリット７が複数、上下方向に整列して設けられている。
更に、フロントケース６の裏側には、図示しないが、黒色プレート４の保持用の位置決め部が設けられており、位置決めされた黒色プレート４は、先の排気ファン３の表面に設けられたスポンジ状の緩衝材により弾力的に、フロントケース６に押圧され保持されるため、装置本体の振動などが生じても、黒色プレート４とフロントケース６或いは、黒色プレート４と排気ファン３とが、衝突し騒音を発するということは防止される。【００１５】またフロントケース６には、投影レンズ２が露出するように、投影レンズ配置部８が設けられている。
尚、この投影レンズ配置部８の上部には切り欠き部を有しているが、この切り欠き部からは、投影レンズ２の側面が露出され、この投影レンズ２の側面を回転させることで、投影レンズのピントを合わせたり、投影画像の拡大或いは縮小を行うことが可能となる。【００１６】先の黒色プレート４の導風部５は、フロントケース７のスリット７に入り込むように、切り欠き部を有し、前面からはみ出さない程度にスリット７内の奥まった位置に配置される。【００１７】１０は、操作部であり、プロジェクタ装置の動作のためのメインスイッチや、投影画像の位置修正などを行うためのスイッチなどが配置されている。【００１８】本体背面には、図示しないが、投影画像の入出力端子や、カードスロット、また、リモコンからの操作指令信号を受信する赤外線受光部などが設けられている。
本体側面には、冷却風取り込み用の開口部が設けられている。
また、本体底面には、光源ユニットの出し入れを行う蓋や、上下の投影位置を調節するための脚部が設けられている。【００１９】本発明は、上述の実施例に限定されるものではなく、特に、黒色プレートの材質や形状、黒色プレートに設けられた導風部の形状、数、構造などは限定されない。例えば、０．３ｍｍ程度のアルミニウム金属材を用いてもよい。また、プロジェクタ装置の大きさや、投影レンズと廃棄開口との離間距離に応じて、導風部の曲げ角度を、例えば３０度から６０度の範囲で最適な値とするのがよい。
更に、フロントケースの構造や、スリット開口の形状も、本実施例に限定されるものではない。
【産業上の利用可能性】
【００２０】本発明は、本体の前面から排気するような液晶方式プロジェクタ、或いはデジタルマイクロミラー方式プロジェクタなどに用いることが可能である。
【図面の簡単な説明】
【００２１】
【図１】図１は、本発明の実施例の主要な構成を示す分解斜視図である。
【図２】図２は、従来のプロジェクタ装置示す斜視図である。
【符号の説明】
【００２２】１：本体ケース
２：投影レンズ
３：排気用ファン
４：黒色プレート
５：導風部
６：フロントケース
７：排気用スリット開口
【図１】
2005346019.tif 000003
【図２】
2005346019.tif 000004